(57)【要約】      （修正有）【課題】単純構造の全く新しい発想による、低トルクのスライド磁石式回転型発電装置を提供する。【解決手段】複数の発電コイルの中を、複数の円筒状永久磁石が往復移動する事により、磁力線がコイルを通過する際に生ずる起電力を活用する発電素子を、水平回転軸を中心に放射扇状に複数取り付けた、低トルクの回転式発電機は構造が、極めて単純で簡易な部品の組み合わせで構成されるので、生産コストも低減され、従来の回転型発電機器に比べ、設備費が低廉で、保守管理も容易で、ランニングコストも少な苦、環境に優しい、省エネルギータイプの発電装置です。【選択図】図３
2005143281.tif 000002
【特許請求の範囲】
【請求項１】
複数の発電コイルの中を複数の磁石が、移動する時に生ずる、発電現象を、活用する発電素子。
【請求項２】
請求項１の、発電素子を水平回転軸を中心として、放射状に複数、配置した発電素子集合体。
【請求項３】
請求項２の、発電素子集合体を必要電力に応じ並行配列した、発電ユニット。
【発明の詳細な説明】
【技術分野】
【０００１】  本発明は、複数の発電コイルの中を複数の磁石が、移動する時に生ずる、発電現象を、活用する新しい発想の発電装置に関するものである。
【背景技術】
【０００２】  従来の回転型発電機は直流、交流、何れの各形式発電機も、鉄芯に巻き付けたコイルに対して回転する磁力線が変化する事による発電現象を利用した物である。【０００３】  従来の回転型直流発電機は一般的に、電機子鉄芯と界磁鉄芯にコイルを巻付て、界磁用コイルに電流を流すことに因って、発生する磁力線が回転により、電機子コイルを移動磁化する際に生ずる起電現象を利用したものである。【０００４】  其の為、従来、何れの回転式発電機も、必ず界磁用、発電用等のコイルを巻付ける鉄芯が不可欠な為、鉄芯損（ヒステリシス損、渦電流損）の発生を免れない。【０００５】  磁極の吸着作用により、コッキングトルクが大変大きく、発電には負荷に応じ、大きな回転動力を必要とする。【０００６】  又構造体の大半も鉄芯用の珪素鋼板と、ケーシング驅体の鋳鉄構造物等と構造重量の、大半を占め、設置、移動等の際に多大な費用を要する。また鉄芯損はエネルギーの損失でもある。【０００７】  従来の回転型発電機は、複雑な構造上、生産コストの低減が困難である。【０００８】  又，リニア−タイプの発電法については
【特許文献１】特開昭６３−３０５７４４号公報（１〜３Ｐ図１，４）
【特許文献２】特開平  １−１６４２５６号公報（１〜２Ｐ図１，２）
【発明の開示】
【発明が解決しようとする課題】
【０００９】  以上に述べた従来の回転式発電機の問題点は、鉄芯に巻き付けコイルが不可欠であり、又その鉄芯が鉄芯損の発生源となっている、又この鉄芯に磁力線が近接する事象が、コキングトルクの原因であり、負荷エネルギーの増加要因。
【課題を解決しようとする手段】
【００１０】  深考すれば、コイルに対し磁力線が交差移動する現象が起電力を生ぜしめるので、その原理が保持可能ならば、鉄心損を生じさせる鉄心を排除した起電装置が可能となる。
【発明の効果】
【００１１】  本発明は、従来の回転式発電機に於いて不可欠で有った鉄心を、使用せずに発電するる事が可能となり、構造体重量の大半を占める鉄材が軽減されるので、製造コストや、設置費用等が減少させ又、鉄心損によるエネルギー損失を排除する、併せて磁気吸着コキングトルクによるエネルギー損失をも排除される。
【００１２】  従来の回転式発電機は直流、交流何れの方式においても、極めて複雑な構造体で有るのを、極めて単純簡単な構造体に変革し、生産コストの低減下を計る。
【発明を実施するための最良の形態】
【００１３】  そこで本発明は上記目的を達成するために、従来とは全く別発想の、発電原理に基ずき、コイルの中を永久磁石を移動させる事による起電力を活用する。
【実施例１】
【００１４】  樹脂製パイプに巻付けたコイルの中心部を円筒状磁石が移動する事により、
磁力線がコイルを通過する際に、ファラディの電磁誘導の法則の通りに起電力が発生する。【００１５】  磁力線強化の為、コイルの外周にパーマロイ等の、高透磁率材で造られた円筒を被せる。【００１６】  誘導電圧は、１ターンのコイルの磁束鎖交数が、１秒間に１ウエバーの割合で変化すると、１Ｖの起電力が誘発される、又、１０ターンのコイルならば、その起電力は１０Ｖになる。【００１７】  円筒状磁石のセンターホールを通す丸型ガイドレールは黄銅等の非磁性材で構成される。【００１８】  以下、本発明の実施の形態として、一実施例を図１〜図５に基ずいて説明する。【００１９】  図において、１はガイドレールで、２の円筒状磁石、３の隔離材を保持誘導する為に、４の樹脂製パイプの中心部を通る様に設置され、両端に衝撃緩衝の為に、５のエンドクッションダンパーを設ける。【００２０】  ４の樹脂パイプの外側に、６の発電コイル、さらにその外側に、磁力線強化の為７のパーマロイ円筒を取り付ける。８は補強用材でカーボンファイバーとグラスファイバーの交織で極めて強靭な構造パイプを構成する、以上の構成品を、９の発電素子と称する。
１０は発電素子保持機構であり、１１の回転軸を中心にして放射状に組み立てられ、発電素子集合体となり、１２の機器支持台に架台される。【００２１】  以下、上記構成の動作を説明する。【００２２】  図において、４の樹脂製パイプの中を、１のガイドレールに沿って、２の円筒状磁石が回転に従って、Ａの発電素子の場合は回転軸に向かって降下動作となり、Ｂの発電素子の場合は外周点に向かって降下動作となる。此の動作により、４の外側に巻かれた６の発電コイルに起電力が発生する。【００２３】  この様に、新発想の発電素子を、回転軸を中心にして放射状に複数取り付け、回転させる事により、対極する発電素子内の、２の円筒状磁石が連続的に反対方向への、降下の動作を繰り返し、発電作用が連続する。
【産業上の利用可能性】
【００２４】  上述したように本発明の発電機型式は従来の回転型発電機に比して、磁極吸着が無いので、コッキングトルクも小さく、負荷の変動に対してもトルク変動が小さい。【００２５】  構造が極めて単純で、構成部品数も少なく、故障も少なく、保守管理も簡単で低レベルの技術力で、対応可能である。【００２６】  発電機の単純簡易化は、生産価格の低減になり、構造の単純化は、低開発地域への設置普及に貢献可能と推測可能であり、現地の人々自体で保守管理が可能で、アフターサービス管理費用も低減可能で、ランニングコストも低廉で済む。【００２７】  機器の単純化は設備費の低減となり、風力タービン等と組み合わせ、環境に優しい、省エネルギーの普及促進に寄与するものである。
【図面の簡単な説明】
【００２８】
【図１】  本発明の一実施例を示す発電素子の側面部分断面図
【図２】  同発電素子の断面図
【図３】  本発明の発電素子集合体の側面図
【符号の説明】
【００２９】  １  ガイドレール
２  円筒状磁石
３  隔離材
４  樹脂製パイプ
５  エンドクツションダンパー
６  発電コイル
７  パーマロイ円筒
８  補強用構造パイプ
９  発電素子
１０  発電素子保持機構
１１  回転軸
１２  機器支持台
【図１】
2005143281.tif 000003
【図２】
2005143281.tif 000004
【図３】
2005143281.tif 000005